(57)【要約】【課題】本発明が目的とする技術的課題は、輝度向上フィルム内の接着剤の黄変を防止して、大面積液晶ディスプレイの寿命を延長して、特性を改善することにある。【解決手段】本発明は、光を反射して偏光軸を変化させるフィルム本体と、前記フィルム本体の下部及び上部のうちの少なくとも一部に形成される保護層と、前記フィルム本体及び前記保護層の間に形成される光硬化性樹脂、光開始剤、及びラジカル消去剤を含む接着層を含む輝度向上フィルムと、を含む液晶ディスプレイを提供する。【選択図】図４
2007004163.tif 000002
【特許請求の範囲】
【請求項１】
光を反射して偏光軸を変化させるフィルム本体と、
前記フィルム本体の下部及び上部の少なくとも一方に形成される保護層と、
前記フィルム本体及び前記保護層の間に形成され、光硬化性樹脂、光開始剤、及びラジカル消去剤を含む接着層と、
を有する、輝度向上フィルム。
【請求項２】
前記ラジカル消去剤は、ベンゾトリアゾール系化合物、ベンゾフェノール系化合物、シアノアクリレート系化合物、及びＨＡＬＳからなる群から選択される少なくとも一種の化合物を含む、請求項１に記載の輝度向上フィルム。
【請求項３】
前記ラジカル消去剤は、ブチル−４−ヒドロキシアニソールである、請求項１または２に記載の輝度向上フィルム。
【請求項４】
前記保護層は、ポリカーボネートを含む、請求項１〜３のいずれか一項に記載の輝度向上フィルム。
【請求項５】
前記光開始剤は、（１−ヒドロキシシクロヘキシル）フェニル−メタノン、２，２−ジメトキシ−２−フェニルアセトフェノン、ビス（２，４，６−トリメチルベンゾイル）フェニルフォスフィンオキシド、及び２−メチル−１−（４−メチルチオフェニル）−２−モルフォリンプロパン−１−オンからなる群から選択される少なくとも一種を含む、請求項１〜４のいずれか一項に記載の輝度向上フィルム。
【請求項６】
前記光開始剤は、前記光硬化性樹脂に対して１００〜１０，０００質量ｐｐｍで含まれる、請求項１〜５のいずれか一項に記載の輝度向上フィルム。
【請求項７】
前記接着層は、接着増進剤、光安定剤、及び充填剤からなる群から選択される少なくとも一種をさらに含む、請求項１〜６のいずれか一項に記載の輝度向上フィルム。
【請求項８】
画像を表示するための液晶表示パネルと、
前記液晶表示パネルに光を提供するための、ランプ、前記ランプの下部に形成されている反射シート、及び前記ランプの上部に形成されている輝度向上フィルムを有するバックライトアセンブリと、
を備えた液晶ディスプレイであって、
前記輝度向上フィルムは、請求項１〜７のいずれか一項に記載の輝度向上フィルムである液晶ディスプレイ。
【請求項９】
前記液晶表示パネルは、複数の薄膜トランジスタが配列されているＴＦＴ基板と、
前記薄膜トランジスタに対向して、対向電極が形成されている対向電極基板と、
前記ＴＦＴ基板及び前記対向電極基板の間に挿入される液晶層と、
を含む、請求項８に記載の液晶ディスプレイ。
【請求項１０】
前記ＴＦＴ基板及び前記対向電極基板の外側に、偏光板がさらに形成されている、請求項８または９に記載の液晶ディスプレイ。
【発明の詳細な説明】
【技術分野】
【０００１】
本発明は、輝度向上フィルム及びこれを含む液晶ディスプレイに関する。
【背景技術】
【０００２】
一般に、液晶ディスプレイは、ゲート線、データ線、薄膜トランジスタ、及び画素電極などが形成されているＴＦＴ基板、前記ＴＦＴ基板に対向して、カラーフィルター及び対向電極などが形成されている対向電極基板（対向電極基板は、共通電極とも称する）、及びこれらＴＦＴ基板及び対向電極基板の間に挿入される液晶層などから構成される。なお、ＴＦＴは、薄膜トランジスタの略語である。
【０００３】
液晶ディスプレイは、画素電極及び対向電極の間に発生する電界の方向に沿って液晶の配列方向が変わって、光の透過率が変化し、このような透過率の変化によって画像が表示される。画素電極及び対向電極の間に発生する電界は、画素電極に印加される電圧によって調節され、画素電極の電圧を伝達するのは、薄膜トランジスタというスイッチング素子である。ここで、薄膜トランジスタは、ゲート線によって伝達される走査信号によって、データ線によって伝達されるデータ信号を画素電極に伝達または遮断する。
【０００４】
液晶層は、画素電極及び対向電極に電圧が印加されない場合には、ＴＦＴ基板及び対向電極基板の表面に形成された配向膜によって一定の方向に配向されていて、電圧が印加されると、電界の方向に沿って液晶の配列方向が変わる。
【０００５】
液晶ディスプレイに利用される素子は、受光素子であるので、外部または内部から別途に光が提供されなければならない。このために、ＴＦＴ基板の背面に別途のバックライトユニット（ｂａｃｋｌｉｇｈｔ  ｕｎｉｔ）が形成されている。バックライトユニットには、光を提供するランプ、光を基板の全領域に均等に分散させる導光板、及びその他のフィルムが形成されている。
【０００６】
このような液晶ディスプレイは、バックライトから提供される光を全て透過させるものではないため、パネルの輝度（ｂｒｉｇｈｔｎｅｓｓ）を確保することが非常に重要である。パネルの輝度を向上させるために、多様なフィルムが開発されていて、その代表的な例として、バックライトユニット及びパネルの間に位置する輝度向上フィルム（ｂｒｉｇｈｔｎｅｓｓ  ｅｎｈａｎｃｅｍｅｎｔ  ｆｉｌｍ）がある。
【０００７】
輝度向上フィルムは、輝度向上フィルムフィルム本体、前記フィルム本体を保護するための保護層、並びに、前記フィルム本体及び保護層を接着する接着剤を含む。
【０００８】
しかし、輝度向上フィルムに含まれている接着剤は、バックライトから供給される紫外光（ＵＶ）によって容易に黄変する。これは、大面積液晶ディスプレイの寿命を短縮して、特性を低下させる主要因となる。
【発明の開示】
【発明が解決しようとする課題】
【０００９】
したがって、本発明が目的とする技術的課題は、このような問題点を解決するためのものであって、輝度向上フィルム内の接着剤の黄変を防止して、大面積液晶ディスプレイの寿命を延長して、特性を改善することにある。
【課題を解決するための手段】
【００１０】
本発明の一実施形態による輝度向上フィルムは、光を反射して偏光軸を変化させるフィルム本体と、前記フィルム本体の下部及び上部のうちの少なくとも一部に形成される保護層と、前記フィルム本体及び前記保護層の間に形成される光硬化性樹脂、光開始剤、及びラジカル消去剤（除去剤）を含む接着層と、を含む。なお、ラジカル消去剤（除去剤）を以下単に、ラジカル消去剤とも称する。
【００１１】
また、前記ラジカル消去剤は、ベンゾトリアゾール系化合物、ベンゾフェノール系化合物、シアノアクリレート系化合物、及びＨＡＬＳ（ｈｉｎｄｅｒｅｄ  ａｍｉｎｅ  ｌｉｇｈｔ  ｓｔａｂｉｌｉｚｅｒ）（ヒンダードアミン系光安定剤）からなる群から選択される少なくとも一種の化合物を含むことができる。なお、ＨＡＬＳ（ｈｉｎｄｅｒｅｄ  ａｍｉｎｅ  ｌｉｇｈｔ  ｓｔａｂｉｌｉｚｅｒ）（ヒンダードアミン系光安定剤）は、以下単にＨＡＬＳとも称する。前記ラジカル消去剤の具体例として、ブチル−４−ヒドロキシアニソール（ｂｕｔｙｌ−４−ｈｙｄｒｏｘｙａｎｉｓｏｌｅ）が挙げられる。また、ブチル−４−ヒドロキシアニソールと、ベンゾトリアゾール系化合物、ベンゾフェノール系化合物、シアノアクリレート系化合物、及びＨＡＬＳからなる群から選択される少なくとも一種の化合物と、を混合して用いてもよい。
【００１２】
また、前記保護層は、ポリカーボネート（ｐｏｌｙｃａｒｂｏｎａｔｅ）を含むことができる。
【００１３】
また、前記光開始剤は、（１−ヒドロキシシクロヘキシル）フェニル−メタノン（（１−ｈｙｄｒｏｘｙｃｙｃｌｏｈｅｘｙｌ）ｐｈｅｎｙｌ−ｍｅｔｈａｎｏｎｅ）、２，２−ジメトキシ−２−フェニルアセトフェノン（２，２−ｄｉｍｅｔｈｏｘｙ−２−ｐｈｅｎｙｌａｃｅｔｏｐｈｅｎｏｎｅ）、ビス（２，４，６−トリメチルベンゾイル）フェニルフォスフィンオキシド（ｂｉｓ（２，４，６−ｔｒｉｍｅｔｈｙｌｂｅｎｚｏｙｌ）ｐｈｅｎｙｌｐｈｏｓｐｈｉｎｅｏｘｉｄｅ）、及び２−メチル−１−（４−メチルチオフェニル）−２−モルフォリンプロパン−１−オン（２−ｍｅｔｈｙｌ−１−（４−ｍｅｔｈｙｌｔｈｉｏｐｈｅｎｙｌ）−２−ｍｏｒｐｈｏｌｉｎｅｐｒｏｐａｎｅ−１−ｏｎ）からなる群から選択される少なくとも一種を含むことができる。
【００１４】
また、前記光開始剤は、前記光硬化性樹脂に対して、特に、１００〜１０，０００質量ｐｐｍで含まれることができるが、この範囲には制限されない。
【００１５】
また、前記接着層は、接着増進剤、光安定剤、及び充填剤からなる群から選択される少なくとも一種をさらに含むことができる。
【００１６】
また、本発明の一実施例による液晶ディスプレイは、画像を表示するための液晶表示パネル、前記液晶表示パネルに光を提供するためのバックライトアセンブリを含み、前記バックライトアセンブリは、ランプ、前記ランプの下部に形成されている反射シート、及び前記ランプの上部に形成されている輝度向上フィルムを含み、前記輝度向上フィルムは、光を反射して偏光軸を変化させるフィルム本体と、前記フィルム本体の下部及び上部のうちの少なくとも一部に形成される保護層と、前記フィルム本体及び前記保護層の間に形成される光硬化性樹脂、光開始剤、及びラジカル消去剤を含む接着層と、を含む。
【００１７】
また、前記液晶表示パネルは、複数の薄膜トランジスタが配向されているＴＦＴ基板、前記薄膜トランジスタに対向して、対向電極が形成されている対向電極基板、前記ＴＦＴ基板及び前記対向電極基板の間に挿入される液晶層を含むことができる。
【００１８】
また、前記ＴＦＴ基板及び前記対向電極基板の外側に、偏光板がさらに形成されることができる。
【発明の効果】
【００１９】
本発明によれば、輝度向上フィルム内の接着剤がラジカル消去剤を含むことによって、長時間バックライトから提供される光によって発生する黄変現象を減少させることができ、これによって、液晶ディスプレイの寿命を延長させて、特性の低下を防止することができる。
【発明を実施するための最良の形態】
【００２０】
以下、添付した図面を参照して、本発明の実施例について、本発明が属する技術分野における通常の知識を有する者が容易に実施することができるように詳細に説明する。しかし、本発明は多様に相異した形態で実現でき、ここで説明する実施例に限定されない。
【００２１】
図面では、各層及び領域を明確に表現するために、厚さを拡大して示した。明細書全体を通して類似した部分には、同一な図面符号を付けた。層、膜、領域、板などの部分が他の部分の「上」にあるとする時、これは他の部分の「真上」にある場合だけでなく、その中間に他の部分がある場合も意味する。反対に、ある部分が他の部分の「真上」にあるとする時、これはその中間に他の部分がない場合を意味する。また、「上部」や「下部」などの記載は、添付された図面を参照し、適切に判断されなければならない。
【００２２】
それでは、本発明の一実施例による液晶ディスプレイ用輝度向上フィルムについて、図１を参照して詳細に説明する。
【００２３】
図１は本発明の一実施例による液晶ディスプレイの分解斜視図である。
【００２４】
図１に示すように、本発明の一実施例による液晶ディスプレイ１００は、おおまかに、光を提供するための直下型のバックライトアセンブリ２０及び画像を表示するための液晶表示パネルアセンブリ８０を含む。この他に、これらを固定支持するために、トップシャーシ６０、モールドフレーム３０、及びボトムシャーシ１０が結合されている。
【００２５】
図１に示した直下型のバックライトアセンブリ２０を含む液晶ディスプレイ１００は、単に本発明を例示するためのものであって、本発明はこのような構造に限定されない。したがって、本発明は、これ以外の構造の液晶ディスプレイにも適用される。バックライトアセンブリ２０は、液晶表示パネルアセンブリ８０に光を提供して、光をガイドしながら輝度を向上させ、バックライトアセンブリ２０の上部に位置する液晶表示パネルアセンブリ８０は、画像を表示する。
【００２６】
液晶表示パネルアセンブリ８０は、液晶表示パネル７０、テープキャリアパッケージ（ｔａｐｅ  ｃａｒｒｉｅｒ  ｐａｃｋａｇｅ、ＴＣＰ）８１、８３、及び印刷回路基板（ｐｒｉｎｔｅｄ  ｃｉｒｃｕｉｔ  ｂｏａｒｄ、ＰＣＢ）８５、８７を含む。
【００２７】
ここで、液晶表示パネル７０は、ＴＦＴ基板７２、ＴＦＴ基板７２に対向して位置する対向電極基板７４、及びこれら基板の間に挿入される液晶層（図示せず）を含む。
【００２８】
ＴＦＴ基板７２は、マトリックス（ｍａｔｒｉｘ）形態に配列された複数の薄膜トランジスタ（図示せず）を含み、各々の薄膜トランジスタは、ゲート線（図示せず）に連結されているゲート端子、データ線（図示せず）に連結されているソース端子、そして画素電極（図示せず）に連結されているドレイン電極を含む。画素電極は、透明な導電性物質であるＩＴＯまたはＩＺＯからなってもよい。
【００２９】
前記液晶表示パネル７０のデータ線及びゲート線に印刷回路基板８５、８７から電気的な信号が入力されると、薄膜トランジスタのソース端子及びゲート端子に電気的な信号が入力され、これら電気的な信号の入力によって、薄膜トランジスタは、ターンオン（ｔｕｒｎ−ｏｎ）またはターンオフ（ｔｕｒｎ−ｏｆｆ）されて、電気的な信号がドレイン端子に出力されて画素電極に伝達される。
【００３０】
対向電極基板７４は、赤色、緑色、及び青色のカラーフィルター（図示せず）及び対向電極（図示せず）を含む。カラーフィルターは、色相を表示するために形成されていて、薄膜工程によって形成される。対向電極は、ＩＴＯまたはＩＺＯからなり、対向電極基板７４の全面を覆っている。対向電極には、対向電圧が印加される。画素電極及び対向電極の間の液晶層には、電界が発生する。このような電界によって、液晶分子（図示せず）の配向角が変化し、変化した配向角によって光の透過率が変化して、所望の画像を表示する。
【００３１】
液晶分子の配向角及び液晶分子の配向時間（時期）を制御するために、ＴＦＴ基板７２のゲート線及びデータ線にゲート信号及びデータ信号を印加するが、液晶表示パネル７０の一側周縁にはデータ信号を印加するデータＴＣＰ８１が付着され、他側周縁にはゲート信号を印加するゲートＴＣＰ８３が付着されている。
液晶ディスプレイ１００の外部から映像信号を受信して、データ線及びゲート線に各々の信号を印加するためのデータＰＣＢ８５及びゲートＰＣＢ８７は、液晶表示パネル７０のゲート線側のゲートＴＣＰ８３及びデータ線側のデータＴＣＰ８１と各々連結される。
【００３２】
データＰＣＢ８５及びゲートＰＣＢ８７は、液晶ディスプレイ１００を駆動するための複数の制御信号を生成して、データＴＣＰ８１及びゲートＴＣＰ８３に出力する。
液晶表示パネルアセンブリ８０の下部には、液晶表示パネルアセンブリ８０に均一な光を提供するためのバックライトアセンブリ２０が形成されている。
【００３３】
バックライトアセンブリ２０は、ボトムシャーシ１０上に収納されて固定され、ボトムシャーシ１０上に所定の距離で離隔して設置される複数のバックライトであるランプ１６、ランプ１６の下部前面に位置して、ランプから放出される光を反射させる反射シート１８、複数のランプ１６の両端でランプ１６を固定支持するランプホルダー１２、ランプホルダー１２を固定するフレームモールドサイド（ｆｒａｍｅ  ｍｏｌｄ  ｓｉｄｅ）１４、そしてランプ１６からの光の輝度特性を確保して液晶表示パネルアセンブリ８０に光を提供するための輝度向上フィルム２１、プリズムシート２２、及び拡散板２３を含む。
【００３４】
図１には示さなかったが、ボトムシャーシ１０の背面には、電源供給用ＰＣＢであるインバータボード及び信号変換用ＰＣＢが設置される。インバータボードは、外部の電源を一定の電圧レベルに変圧してランプ１６に提供し、信号変換用ＰＣＢは、前記データＰＣＢ８５及びゲートＰＣＢ８７と接続されて、アナログデータ信号をデジタルデータ信号に変換して液晶表示パネルアセンブリ８０に提供する。
【００３５】
液晶表示パネルアセンブリ８０上には、ＴＣＰ８１、８３を折曲げてデータＰＣＢ８５及びゲートＰＣＢ８７をモールドフレーム３０の外部に出すと同時に、液晶表示パネルアセンブリ８０がボトムシャーシ１０から離脱するのを防止するための、トップシャーシ６０が形成される。図１には示していないが、トップシャーシ６０の上部及びボトムシャーシ１０の下部には、各々前面ケース及び背面ケースが位置して、これらの結合によって液晶ディスプレイ１００が構成される。
【００３６】
図２は本発明の一実施例によるバックライトアセンブリにおけるフィルムの位置関係を示す断面図である。
【００３７】
図２に示すように、バックライトアセンブリ２０は、ボトムシャーシ１０の底面に反射シート１８が形成され、その上にランプ１６が形成される。ランプ１６上に拡散板２３−２及び拡散シート２３−１を形成し、これによって、ランプ１６から入射された光を拡散して液晶表示パネルの全領域に均等に拡散するようにする。拡散シート２３−１上には、プリズムシート２２が形成されていて、その上に輝度向上フィルム２１が形成されている。プリズムシート２２及び輝度向上フィルム２１は、多くのディスプレイの輝度を強化する構造である。
【００３８】
図３は輝度向上フィルムの光学原理を示す模式図である。
【００３９】
図３に示すように、輝度向上フィルム２１を中心にして、下部には、プリズムシート２２、拡散板２３、ランプ１６、及び反射シート１８が形成され、上部には、液晶表示パネル７０、その上部及び下部に偏光板５１、５２が形成されている。
輝度向上フィルム２１は、Ｐ波は通過させ、Ｓ波は通過させずに反射させる。輝度向上フィルム２１で反射したＳ波は、ランプ１６の下部の反射シート１８で再び反射して、輝度向上フィルム２１に入射する。この時、一部は、偏光方向がＰ波に変化して輝度向上フィルム２１を通過する。このような過程を継続して繰返すことによって、ディスプレイの輝度を向上させる。
【００４０】
以下、本発明の一実施例による輝度向上フィルム２１について、図４を参照して詳細に説明する。
【００４１】
図４は本発明の一実施例による輝度向上フィルム２１の断面図である。
【００４２】
図４に示すように、輝度向上フィルム２１は、フィルム本体２１ａ、保護層２１ｃ、及び接着層２１ｂを含む。フィルム本体２１ａは、保護層２１ｃの間に挟まっていて、接着層２１ｂは、フィルム本体２１ａ及び保護層２１ｃを接着する。しかし、必ずしもこの構造に限定されず、他の機能を行うための他の層をさらに含むこともできる。
【００４３】
フィルム本体２１ａは、バックライトから提供される光を反射偏光させるものであって、輝度向上フィルム２１の本質的な機能を行う。より詳しくは、バックライトからの出射光の偏光分離と、不要な偏光成分の反射再利用に供される。フィルム本体２１ａとしては、例えばＤＢＥＦ（ｄｕａｌ  ｂｒｉｇｈｔｎｅｓｓ  ｎｅｓｓ  ｅｎｈａｎｃｅｍｅｎｔ  ｆｉｌｍ）やＤＲＰＦ（ｄｉｆｆｕｓｉｖｅ  ｒｅｆｌｅｃｔｉｖｅ  ｐｏｌａｒｉｚａｔｉｏｎ  ｆｉｌｍ）などを使用することができる。ＤＢＥＦおよびＤＲＰＦを混合して用いてもよいし、これら以外の物質を使用することもできる。
【００４４】
保護層２１ｃは、フィルム本体２１ａを保護する。保護層２１ｃは、ポリカーボネート（ｐｏｌｙｃａｒｂｏｎａｔｅ）などからなる。
【００４５】
接着層２１ｂは、光硬化性接着剤などからなる。
【００４６】
接着層２１ｂは、光硬化性樹脂、光開始剤（ｐｈｏｔｏ  ｉｎｉｔｉａｔｏｒ）、ラジカル消去剤（ｒａｄｉｃａｌ  ｓｃａｖｅｎｇｅｒ）などを含む。
【００４７】
光硬化性樹脂は、ＵＶなどの特定波長の光に露出されて硬化する化合物であり、オキシラン（ｏｘｉｒａｎｅ）、ビスフェノールＡ（ｂｉｓｐｈｅｎｏｌ  Ａ）、イソシアンテモノマー（ｉｓｏｃｙａｎｔｅ  ｍｏｎｏｍｅｒ）などのモノマー（ｍｏｎｏｍｅｒ）、またはオリゴマー（ｏｌｉｇｏｍｅｒ）などが光硬化反応で重合されて形成されるエポキシ樹脂（ｅｐｏｘｙ  ｒｅｓｉｎ）、アクリル系樹脂（ａｃｒｙｌｉｃ  ｒｅｓｉｎ）、ポリエステル系樹脂（ｐｏｌｙｅｓｔｅｒ  ｒｅｓｉｎ）、そしてポリウレタン樹脂（ｐｏｌｙｕｒｅｔｈａｎｅ  ｒｅｓｉｎ）のような重合体樹脂でありうる。モノマーの結合形式は、特に制限されず、ランダム、ブロックのいずれの形態であってもよい。
【００４８】
光開始剤は、紫外線によってラジカル（ｒａｄｉｃａｌ）を発生させ、これがモノマーまたはオリゴマーと反応して重合される化合物である。特に、２５０〜４５０ｎｍの紫外領域の吸収帯を有する光開始剤には、カルボニル（ｃａｒｂｏｎｙｌ）化合物、アゾ（ａｚｏ）化合物、硫黄（ｓｕｌｆｕｒ）化合物などが含まれる。具体的には、（１−ヒドロキシシクロヘキシル）フェニル−メタノン（（１−ｈｙｄｒｏｘｙｃｙｃｌｏｈｅｘｙｌ）ｐｈｅｎｙｌ−ｍｅｔｈａｎｏｎｅ）、２，２−ジメトキシ−２−フェニルアセトフェノン（２，２−ｄｉｍｅｔｈｏｘｙ−２−ｐｈｅｎｙｌａｃｅｔｏｐｈｅｎｏｎｅ）、ビス（２，４，６−トリメチルベンゾイル）フェニルフォスフィンオキシド（ｂｉｓ（２，４，６−ｔｒｉｍｅｔｈｙｌｂｅｎｚｏｙｌ）ｐｈｅｎｙｌｐｈｏｓｐｈｉｎｅｏｘｉｄｅ）、及び２−メチル−１−（４−メチルチオフェニル）−２−モルフォリンプロパン−１−オン（２−ｍｅｔｈｙｌ−１−（４−ｍｅｔｈｙｌｔｈｉｏｐｈｅｎｙｌ）−２−ｍｏｒｐｈｏｌｉｎｅｐｒｏｐａｎｅ−１−ｏｎ）からなる群から選択されることができるが、これらに制限されるわけではない。
【００４９】
光開始剤は、光硬化性樹脂に対して特に、１００〜１０，０００質量ｐｐｍで含まれることができる。
【００５０】
光開始剤は、光硬化性接着剤の性能に大きな影響を与える成分である。
【００５１】
本発明による輝度向上フィルム２１は、接着剤に、ラジカルを除去することができるラジカル消去剤が含まれる。
【００５２】
ラジカル消去剤としては、ベンゾトリアゾール（ｂｅｎｚｏｔｒｉａｚｏｌｅ）系化合物、ベンゾフェノール（ｂｅｎｚｏｐｈｅｎｏｌ）系化合物、シアノアクリレート（ｃｙａｎｏａｃｒｙｌａｔｅ）系化合物、及びＨＡＬＳからなる群から選択されることができる。具体的には、ブチル−４−ヒドロキシアニソール（ｂｕｔｙｌ−４−ｈｙｄｒｏｘｙａｎｉｓｏｌｅ）があるが、これらに制限されるわけではない。
【００５３】
これらラジカル消去剤は、光開始剤が長期間光に露出される場合に、光の存在下で酸素と結合して発生するハイドロ過酸化物ラジカルと自らが結合することによって、重合体ラジカルが発生するのを防止することができる。このような重合体ラジカルは、ハイドロ過酸化物ラジカルが、接着剤に含まれている重合体樹脂を攻撃することによって起きる重合体樹脂の分解によって発生するものである。このような重合体樹脂の分解は、外部で黄変（ｙｅｌｌｏｗｉｎｇ）として認識され、液晶ディスプレイの寿命の短縮及び特性の低下を招く主要因となる。
【００５４】
また、既に生成された重合体ラジカルとも結合して、ラジカルを除去することができる。これによって、光開始剤の劣化速度を顕著に遅くすることができ、黄変現象を防止することができる。
【００５５】
接着剤は、光硬化性樹脂、光開始剤、及びラジカル消去剤の他に、接着増進剤（ａｄｈｅｓｉｏｎｐｒｏｍｏｔｅｒｓ）、光安定剤（ｓｔａｂｉｌｉｚｅｒｓ）、または充填剤（ｆｉｌｌｅｒ）をさらに含むことができる。
【００５６】
以上で、本発明の好ましい実施例について詳細に説明したが、本発明の権利範囲はこれに限定されず、請求範囲で定義している本発明の基本概念を利用した当業者の多様な変形及び改良形態も、本発明の権利範囲に属する。
【図面の簡単な説明】
【００５７】
【図１】本発明の一実施例による液晶ディスプレイの分解斜視図である。
【図２】本発明の一実施例によるバックライトアセンブリにおけるフィルムの位置関係を示す断面図である。
【図３】輝度向上フィルムの光学原理を示す模式図である。
【図４】本発明の一実施例による輝度向上フィルムの断面図である。
【符号の説明】
【００５８】
１０    ボトムシャーシ
１２    ランプホルダー
１４    フレームモールドサイド
１６    ランプ
１８    反射シート
２０    バックライトアセンブリ
２１    輝度向上フィルム
２２    プリズムシート
２３    拡散板
３０    モールドフレーム
５１、５２    偏光板
６０    トップシャーシ
７０    液晶表示パネル
７２    ＴＦＴ基板
７４    対向電極基板
８０    液晶表示パネルアセンブリ
８１、８３    テープキャリアパッケージ（ＴＣＰ）
８５、８７    印刷回路基板（ＰＣＢ）
１００    液晶ディスプレイ
２１ａ    輝度向上フィルム本体
２１ｂ    接着層
２１ｃ    保護層
【図１】
2007004163.tif 000003
【図２】
2007004163.tif 000004
【図３】
2007004163.tif 000005
【図４】
2007004163.tif 000006